(57)【要約】【課題】  基地局によらず、詳細な位置の特定ができる位置検索装置及び位置検索方法を提供する。【解決手段】  それぞれの位置を示す位置情報を提供する複数の位置情報提供スポット１０、１１、１２中の少なくとも３つに対して、位置情報を送信してもらうための送信要求を送信する送信手段２１と、送信要求に対する位置情報を含む応答を受信する受信手段２２と、送信要求が送信されてから応答が受信されるまでの時間から、応答の送信処理にかかる時間を除いた時間である送受信時間を位置情報提供スポットごとに計測する計測手段２３と、送受信時間と、送信要求及び応答の通信速度と、応答に含まれる位置情報とに基づいて、位置情報提供スポットから位置検索装置までの距離を位置情報提供スポットごとに算出する算出手段２４と、算出された距離と位置情報の双方に基づいて、位置検索装置の位置を特定する特定手段２５とを備える。【選択図】  図２
2005077156.tif 000002
【特許請求の範囲】
【請求項１】
それぞれの位置を示す位置情報を提供する複数の位置情報提供スポット中の少なくとも３つに対して、前記位置情報提供スポットの前記位置情報を送信してもらうための送信要求を送信する送信手段と、
前記送信手段によって送信された前記送信要求に対する前記位置情報提供スポットからの前記位置情報を含む応答を受信する受信手段と、
前記送信手段によって前記送信要求が送信されてから前記受信手段によって前記応答が受信されるまでの時間から、前記位置情報提供スポットにおいて前記応答の送信処理にかかる時間を除いた時間である送受信時間を前記位置情報提供スポットごとに計測する計測手段と、
前記計測手段によって計測された送受信時間と、前記送信要求及び前記応答のあらかじめ決められた通信速度と、前記受信手段によって受信された前記応答に含まれる前記位置情報とに基づいて、前記位置情報提供スポットから前記送信要求を送信した位置検索装置までの距離を前記位置情報提供スポットごとに算出する算出手段と、
前記算出手段によって前記位置情報提供スポットごとに算出された前記距離と前記距離の算出に用いられた前記位置情報の双方に基づいて、前記位置検索装置の位置を特定する特定手段とを、
備える位置検索装置。
【請求項２】
それぞれの位置を示す位置情報を提供する複数の位置情報提供スポット中の少なくとも３つに対して、前記位置情報提供スポットの前記位置情報を送信してもらうための送信要求を送信するステップと、
前記送信要求の送信後に時間を測定し始めるステップと、
前記送信された送信要求に対する前記位置情報提供スポットからの前記位置情報を含む応答を受信するステップと、
前記送信要求の送信後に時間を測定し始めてから前記応答が受信されるまでの時間から、前記位置情報提供スポットにおいて前記応答の送信処理にかかる時間を除いた時間である送受信時間を前記位置情報提供スポットごとに計測するステップと、
前記計測された送受信時間と、前記送信要求及び前記応答のあらかじめ決められた通信速度と、前記応答に含まれる前記位置情報とに基づいて、前記位置情報提供スポットから前記送信要求を送信した位置検索装置までの距離を前記位置情報提供スポットごとに算出するステップと、
前記位置情報提供スポットごとに算出された前記距離と前記距離の算出に用いられた前記位置情報の双方に基づいて、前記位置検索装置の位置を特定するステップとを、
有する位置検索方法。
【発明の詳細な説明】
【技術分野】
【０００１】
本発明は、自身の位置を特定する位置検索装置及び位置検索方法に関する。
【背景技術】
【０００２】
従来から、自身の位置を特定する携帯電話などの位置検索装置（以下、位置検索装置と言う）として様々なものが開発されている。従来の位置検索装置は基地局からの電波によって自身の位置を特定していた。このような位置検索装置が下記の非特許文献１に開示されている。
【非特許文献１】http://www.yomiuri.co.jp/atmoney/special/25/keitai02.htm
【発明の開示】
【発明が解決しようとする課題】
【０００３】
しかしながら、非特許文献１に開示された位置検索装置では、１つの基地局が担当する範囲が広いため、詳細な位置を特定することが困難であるという問題があった。
【０００４】
本発明は、上記問題を解決するためのものであり、基地局によらず、詳細な位置の特定ができる位置検索装置及び位置検索方法を提供することを目的とする。
【課題を解決するための手段】
【０００５】
上記目的を達成するために、本発明は、送信手段、受信手段、計測手段、算出手段、特定手段を備える。すなわち、それぞれの位置を示す位置情報を提供する複数の位置情報提供スポット中の少なくとも３つに対して、前記位置情報提供スポットの前記位置情報を送信してもらうための送信要求を送信する送信手段と、前記送信手段によって送信された前記送信要求に対する前記位置情報提供スポットからの前記位置情報を含む応答を受信する受信手段と、前記送信手段によって前記送信要求が送信されてから前記受信手段によって前記応答が受信されるまでの時間から、前記位置情報提供スポットにおいて前記応答の送信処理にかかる時間を除いた時間である送受信時間を前記位置情報提供スポットごとに計測する計測手段と、前記計測手段によって計測された送受信時間と、前記送信要求及び前記応答のあらかじめ決められた通信速度と、前記受信手段によって受信された前記応答に含まれる前記位置情報とに基づいて、前記位置情報提供スポットから前記送信要求を送信した位置検索装置までの距離を前記位置情報提供スポットごとに算出する算出手段と、前記算出手段によって前記位置情報提供スポットごとに算出された前記距離と前記距離の算出に用いられた前記位置情報の双方に基づいて、前記位置検索装置の位置を特定する特定手段とを備える位置検索装置が提供される。
【０００６】
また、本発明によれば、それぞれの位置を示す位置情報を提供する複数の位置情報提供スポット中の少なくとも３つに対して、前記位置情報提供スポットの前記位置情報を送信してもらうための送信要求を送信するステップと、前記送信要求の送信後に時間を測定し始めるステップと、前記送信された送信要求に対する前記位置情報提供スポットからの前記位置情報を含む応答を受信するステップと、前記送信要求の送信後に時間を測定し始めてから前記応答が受信されるまでの時間から、前記位置情報提供スポットにおいて前記応答の送信処理にかかる時間を除いた時間である送受信時間を前記位置情報提供スポットごとに計測するステップと、前記計測された送受信時間と、前記送信要求及び前記応答のあらかじめ決められた通信速度と、前記応答に含まれる前記位置情報とに基づいて、前記位置情報提供スポットから前記送信要求を送信した位置検索装置までの距離を前記位置情報提供スポットごとに算出するステップと、前記位置情報提供スポットごとに算出された前記距離と前記距離の算出に用いられた前記位置情報の双方に基づいて、前記位置検索装置の位置を特定するステップとを有する位置検索方法が提供される。
【発明の効果】
【０００７】
本発明の位置検索装置及び位置検索方法は、上記構成を有し、基地局によらず、詳細な位置の特定ができる。
【発明を実施するための最良の形態】
【０００８】
以下、本発明の実施の形態について、図１から図４を用いて説明する。図１は本発明の実施の形態に係る位置検索装置とホットスポットとの関係を説明するための図である。図２は本発明の実施の形態に係る位置検索装置の構成を示すブロック図である。図３は本発明の実施の形態に係る位置検索装置の特定部による位置検索装置の位置の特定方法について説明するための図である。図４は本発明の実施の形態に係る位置検索装置が自身の位置を特定する際の処理フローを示す図である。
【０００９】
まず、本発明の実施の形態に係る位置検索装置とホットスポットとの関係について図１を用いて説明する。図１に示すように、位置検索装置２０は、周囲に存在するホットスポット１０、１１、１２からホットスポット１０、１１、１２のそれぞれの位置情報を取得するために、送信要求を送信し、その送信要求に対する応答を受け取る。ここで、送信要求や応答は、例えば電波や光などによって送信される。応答にはホットスポット１０、１１、１２のそれぞれの位置情報が含まれている。ホットスポット１０、１１、１２から受け取る位置情報は、例えば経度及び緯度の情報である。これを利用して位置検索装置２０の位置を特定することができる。ここで、上述した位置情報提供スポットがホットスポット１０、１１、１２に相当する。また、位置検索装置２０は、３つのホットスポット１０、１１、１２から位置情報を受け取っているが、位置検索装置２０の位置を特定することができれば、３つに限られるものではない。
【００１０】
次に、位置検索装置２０の構成について図２を用いて説明する。図２に示すように、位置検索装置２０は、送信部２１、受信部２２、計測部２３、算出部２４、特定部２５から構成されている。送信部２１は、自身の位置情報を提供するホットスポット１０、１１、１２に対して、ホットスポット１０、１１、１２の位置情報を送信してもらうための送信要求を送信する。ここで、送信要求は、例えばエージェントと呼ばれるプログラムであり、ホットスポット１０、１１、１２から位置情報を取得するためのプログラムである。受信部２２は、送信部２１によって送信された送信要求に対するホットスポット１０、１１、１２からの位置情報を含む応答を受信する。この応答には、位置情報以外にホットスポット１０、１１、１２に関する情報、例えば識別符号などが含まれており、受信部２２はどのホットスポット１０、１１、１２からの応答であるかを識別することができる。計測部２３は、送信部２１によって送信要求が送信されてから受信部２２によって応答が受信されるまでの時間から、ホットスポット１０、１１、１２において応答の送信処理にかかる時間を除いた時間である送受信時間をホットスポット１０、１１、１２ごとに計測する。なお、応答の送信処理にかかる時間はホットスポット１０、１１、１２から応答とともに送信されるようにしてもよく、またあらかじめ計測部２３がホットスポット１０、１１、１２ごとの応答の送信処理にかかる時間を保持していてもよい。
【００１１】
算出部２４は、計測部２３によって計測された送受信時間と、送信要求及び応答のあらかじめ決められた通信速度と、受信部２２によって受信された送受信時間に対応する応答に含まれる位置情報とに基づいて、ホットスポット１０、１１、１２から位置検索装置２０までの距離を算出する。具体的な距離の算出について説明すると、例えば、位置検索装置２０がホットスポット１０に対して送信要求を送信して、送信要求に対する応答を受信するまでの送受信時間がａ秒であるとする。そして、送信要求及び応答のあらかじめ決められた通信速度が秒速ｂメートルであるとすると、位置検索装置２０とホットスポット２０との距離はａ×ｂ／２メートルと算出される。
【００１２】
特定部２５は、算出部２４によって算出された距離に基づいて位置検索装置２０の位置を特定する。具体的な特定方法について図３を用いて説明する。特定部２５は、それぞれのホットスポット１０、１１、１２を中心とし、算出部２４によって算出されたそれぞれの距離を半径とする３つの円の交点を位置検索装置２０の位置と特定する。なお、以上説明した送信部２１、受信部２２、計測部２３、算出部２４、特定部２５は、例えばＣＰＵに該当する。
【００１３】
次に、位置検索装置２０が自身の位置を特定する際の処理フローについて図４を用いて説明する。位置検索装置２０の送信部２１は、ホットスポット１０、１１、１２に対して位置情報を送信してもらうための送信要求を送信する（ステップＳ４００）。位置検索装置２０の計測部２３は、送信要求を送信した後に時間を測定し始める（ステップＳ４０１）。位置検索装置２０の受信部２２は、送信要求に対する応答をホットスポット１０、１１、１２から受信する（ステップＳ４０２）。位置検索装置２０の計測部２３は、応答を受信した際に、送信要求を送信した後から応答を受信するまでの送受信時間を計測する（ステップＳ４０３）。位置検索装置２０の算出部２４は、計測された送受信時間と、送信要求及び応答のあらかじめ決められた通信速度と、送受信時間に対応する応答に含まれる位置情報とに基づいて、ホットスポット１０、１１、１２から位置検索装置２０までの距離をそれぞれ算出する（ステップＳ４０４）。位置検索装置２０の特定部２５は、算出された距離に基づいて位置検索装置２０の位置を特定する（ステップＳ４０５）。
【産業上の利用可能性】
【００１４】
本発明に係る位置検索装置は、基地局によらず詳細な位置の特定ができるため、自身の位置を特定する位置検査装置及び位置検索方法などに有用である。
【図面の簡単な説明】
【００１５】
【図１】本発明の実施の形態に係る位置検索装置とホットスポットとの関係を説明するための図である。
【図２】本発明の実施の形態に係る位置検索装置の構成を示すブロック図である。
【図３】本発明の実施の形態に係る位置検索装置の特定部による位置検索装置の位置の特定方法について説明するための図である。
【図４】本発明の実施の形態に係る位置検索装置が自身の位置を特定する際の処理フローを示す図である。
【符号の説明】
【００１６】
１０、１１、１２  ホットスポット（位置情報提供スポット）
２０  位置検索装置
２１  送信部（送信手段）
２２  受信部（受信手段）
２３  計測部（計測手段）
２４  算出部（算出手段）
２５  特定部（特定手段）
【図１】
2005077156.tif 000003
【図２】
2005077156.tif 000004
【図３】
2005077156.tif 000005
【図４】
2005077156.tif 000006